(57)【要約】【課題】ガラス微小球体を有する原反を任意の製品形状に打ち抜く際に、ガラス微小球体の脱落を防止することを可能とする打抜刃を提供する。【解決手段】ガラス微小球体（１）を有する原反（２）を製品形状（１２）に打ち抜く打抜刃（２０）であり、打抜刃（２０）の刃先は、原反（２）を製品形状（１２）に打ち抜く際に打抜刃（２０）の外側の斜辺（２０１）と接触するガラス微小球体（１）を、打抜刃（２０）の外側『押進方向』に押し進める形状からなる。【選択図】図７
2008155332.tif 000002
【特許請求の範囲】
【請求項１】
ガラス微小球体を有する原反を製品形状に打ち抜く打抜刃であって、
前記打抜刃の刃先は、前記原反を製品形状に打ち抜く際に前記打抜刃の外側と接触する前記ガラス微小球体を、前記打抜刃の外側に押進させる形状からなることを特徴とする打抜刃。
【請求項２】
前記打抜刃は、
前記製品形状に打ち抜くための外側斜面と、内側斜面と、からなり、
前記外側斜面は、前記製品形状に打ち抜かれる原反と接触しない斜面であり、
前記内側斜面は、前記製品形状に打ち抜かれる原反と接触する斜面であり、
前記外側斜面と水平面とのなす傾斜角は、前記内側斜面と水平面とのなす傾斜角よりも緩やかな角度からなることを特徴とする請求項１記載の打抜刃。
【請求項３】
前記外側斜面と水平面とのなす傾斜角は、５３°〜５７°の範囲の角度であることを特徴とする請求項２記載の打抜刃。
【請求項４】
前記打抜刃の刃先は、前記原反を製品形状に打ち抜く際に生ずる摩擦を緩和させる摩擦緩和材で被覆されてなることを特徴とする請求項１または２記載の打抜刃。
【請求項５】
前記製品形状は、無端状の製品形状であることを特徴とする請求項１から４の何れか１項に記載の打抜刃。
【請求項６】
前記打抜刃は、ロータリー刃であることを特徴とする請求項１から５の何れか１項に記載の打抜刃。
【請求項７】
ガラス微小球体を有する原反を、請求項１から６の何れか１項に記載の打抜刃を用いて製品形状に打ち抜く打抜方法であって、
前記原反を製品形状に打ち抜く際に前記打抜刃の外側と接触する前記ガラス微小球体を、前記打抜刃の外側に押進させる形状からなる刃先の打抜刃を用いて製品形状に打ち抜くことを特徴とする打抜方法。
【請求項８】
前記原反を搬送支持する支持部と、前記打抜刃と、の間に前記原反を挿入し、前記支持部と前記打抜刃とで前記原反を挟持し、前記原反を製品形状に打ち抜くことを特徴とする請求項７記載の打抜方法。
【発明の詳細な説明】
【技術分野】
【０００１】
本発明は、ガラス微小球体を有する原反を任意の製品形状に打ち抜く打抜刃及びその打抜刃を用いた打抜方法に関し、特に、ガラス微小球体が表面に露出した原反を任意の製品形状に打ち抜く際に好適な打抜刃及びその打抜刃を用いた打抜方法に関するものである。
【背景技術】
【０００２】
従来から、ガラス微小球体を有する再帰反射材が偽造防止用のシールなどに適用されている。なお、再帰反射材とは、光がどのような方向から照射しても、光が照射された方向に向かって反射するものであり、その再帰反射材の特性から、上述した偽造防止用シールの他にも交通標識などにも適用されている。
【０００３】
なお、再帰反射材には、ガラス微小球体が樹脂層で覆われたクローズタイプと称されるものや、ガラス微小球体が表面に露出したオープンタイプと称されるものがある。
【０００４】
このようなガラス微小球体を有する再帰反射材は、図１（ａ），（ｂ）に示すように、任意の製品形状（１２）に構成されたトムソン刃（１０）を基板（１１）上に設け、図２（ａ）に示すように、トムソン刃（１０）と、定盤（１３）と、でガラス微小球体（１）を有する原反（２）を挟持する。そして、トムソン刃（１０）を原反（２）に対して押圧し、図２（ｂ）に示すように、ガラス微小球体（１）を有する原反（２）を任意の製品形状（１２）に打ち抜き、図２（ｃ）に示すように、任意の製品形状（１２）に打ち抜いた部分（１４）と、その製品形状（１２）に打ち抜いた部分（１４）以外のカス部分（１５）と、に分離する。そして、図２（ｄ）に示すように、カス部分（１５）を除去し、製品形状（１２）に打ち抜いた部分（１４）のみを残すことで、ガラス微小球体（１）を有する製品形状（１２）の再帰反射材を形成する。
【０００５】
なお、オープンタイプの再帰反射材を用いた場合には、ガラス微小球体（１）は、図２に示すように、基材（４）上に積層された保持層（３）に保持され、ガラス微小球体（１）が表面に露出する状態を構成することになる。
【０００６】
なお、図１（ａ）は、トムソン刃（１０）を基板（１１）上に設けた状態を示す斜視図であり、図１（ｂ）は、トムソン刃（１０）を基板（１１）上に設けた状態を示す断面図である。また、図２は、図１に示すトムソン刃（１０）を用いて原反（２）を打ち抜く際の打抜工程を示す図である。
【０００７】
トムソン刃（１０）は、薄い鋼鉄板を曲げて基板（１１）上に設けるため、図１（ａ）に示すように、『継ぎ目』が形成されることになる。基板（１１）としては、主にベニヤ板が用いられる。
【０００８】
なお、図１（ａ），（ｂ）に示すトムソン刃（１０）を用いて、図２（ｂ）に示すように、ガラス微小球体（１）が表面に露出した原反（２）を任意の製品形状（１２）に打ち抜いた場合には、図３（ａ），（ｂ）に示すように、その製品形状（１２）に打ち抜く原反部分に配置されているガラス微小球体（１）が脱落することがある。
【０００９】
この場合、脱落したガラス微小球体（１）が原因で、任意の製品形状（１２）に打ち抜いた部分（１４）と、カス部分（１５）と、に分離できない箇所が発生し、カス部分（１５）を除去する際に、製品形状（１２）に打ち抜いた部分（１４）も同時に除去してしまうことになる。
【００１０】
特に、図３（ｃ），（ｄ）に示すように、基材（４）を、剥離紙（４１）と、粘着層（４２）と、を少なくとも有して構成し、基材（４）を構成する剥離紙（４１）を打ち抜かないように、粘着層（４２）までの層構成（１、３、４２）を打ち抜いた場合には、その打ち抜いた部分から脱落したガラス微小球体（１）が基材（４）を構成する粘着層（４２）に付着し、その粘着層（４２）に付着したガラス微小球体（１）が原因で、任意の製品形状（１２）に打ち抜いた部分（１４）と、カス部分（１５）と、に分離できない箇所が顕著となる。この結果、カス部分（１５）を除去する際に、製品形状（１２）に打ち抜いた部分（１４）も同時に除去してしまうことになる。
【００１１】
このため、ガラス微小球体（１）が表面に露出した原反（２）を任意の製品形状（１２）に打ち抜く際に生じるガラス微小球体（１）の脱落を防止することが要望視されている。
【００１２】
なお、図３（ｂ）は、図３（ａ）に示す製品形状（１２）に打ち抜いた部分（１４）を『Ａ』又は『Ｂ』の方向から見た打抜断面の構成を示したものであり、図３（ｄ）は、図３（ｃ）に示す製品形状（１２）に打ち抜いた部分（１４）を『Ａ』又は『Ｂ』の方向から見た打抜断面の構成を示したものである。
【００１３】
なお、本発明より先に出願された技術文献として、シート材の幅全体に対して間隔を置いてそれぞれ配置された少なくとも１つの工具を周囲上に取付けたホイールを回転させ、セル状再帰反射材シート材のセルを切断および端封する方法が開示された文献がある（例えば、特許文献１参照）。
【特許文献１】特表２００２−５４０９７５号公報
【発明の開示】
【発明が解決しようとする課題】
【００１４】
しかしながら、上記特許文献１には、ホイールの周辺上に取付ける工具に設けられる突起部の形状を、工具あるいはシート材に対する摩擦を最小限に抑える形状にすることが好ましいことが示唆されているが、その形状については、突起部に丸みを付けることで摩擦を最小限に抑えることのみが示唆されているだけであり、その他の形状については何ら言及されていない。
【００１５】
本発明は、上記事情に鑑みてなされたものであり、ガラス微小球体を有する原反を任意の製品形状に打ち抜く際に、ガラス微小球体の脱落を防止することを可能とする打抜刃及びその打抜刃を用いた打抜方法を提供することを目的とするものである。
【課題を解決するための手段】
【００１６】
かかる目的を達成するために、本発明は以下の特徴を有することとする。
【００１７】
本発明にかかる打抜刃は、ガラス微小球体を有する原反を製品形状に打ち抜く打抜刃であって、打抜刃の刃先は、原反を製品形状に打ち抜く際に打抜刃の外側と接触するガラス微小球体を、打抜刃の外側に押進させる形状からなることを特徴とするものである。
【００１８】
また、本発明にかかる打抜刃は、製品形状に打ち抜くための外側斜面と、内側斜面と、からなり、外側斜面は、製品形状に打ち抜かれる原反と接触しない斜面であり、内側斜面は、製品形状に打ち抜かれる原反と接触する斜面であり、外側斜面と水平面とのなす傾斜角は、内側斜面と水平面とのなす傾斜角よりも緩やかな角度からなることを特徴とするものである。
【００１９】
また、本発明にかかる打抜刃において、外側斜面と水平面とのなす傾斜角は、５３°〜５７°の範囲の角度であることを特徴とするものである。
【００２０】
また、本発明にかかる打抜刃において、打抜刃の刃先は、原反を製品形状に打ち抜く際に生ずる摩擦を緩和させる摩擦緩和材で被覆されてなることを特徴とするものである。
【００２１】
また、本発明にかかる打抜刃において、製品形状は、無端状の製品形状であることを特徴とするものである。
【００２２】
また、本発明にかかる打抜刃は、ロータリー刃であることを特徴とするものである。
【００２３】
また、本発明にかかる打抜方法は、ガラス微小球体を有する原反を、上記記載の打抜刃を用いて製品形状に打ち抜く打抜方法であって、原反を製品形状に打ち抜く際に打抜刃の外側と接触するガラス微小球体を、打抜刃の外側に押進させる形状からなる刃先の打抜刃を用いて製品形状に打ち抜くことを特徴とするものである。
【００２４】
また、本発明にかかる打抜方法は、原反を搬送支持する支持部と、打抜刃と、の間に原反を挿入し、支持部と打抜刃とで原反を挟持し、原反を製品形状に打ち抜くことを特徴とするものである。
【発明の効果】
【００２５】
本発明によれば、打抜刃の刃先は、原反を製品形状に打ち抜く際に打抜刃の外側と接触するガラス微小球体を、打抜刃の外側に押進させる形状とすることで、ガラス微小球体をより外側に押し上げたり、埋没させたりすることが可能となるため、ガラス微小球体の脱落を防止することが可能となる。
【発明を実施するための最良の形態】
【００２６】
（本発明の特徴）
まず、図４（ａ）と図７とを参照しながら、本実施形態における打抜刃の特徴について説明する。
【００２７】
本実施形態における打抜刃（２０）は、図４（ａ）に示すように、円筒状の鋼鉄の曲面を打ち抜き形状（製品形状）に合わせて刃が形成されるように鉄鋼を削って成形したものであり、図７に示すように、ガラス微小球体（１）を有する原反（２）を製品形状（１２）に打ち抜く打抜刃（２０）である。
【００２８】
そして、打抜刃（２０）の刃先は、図７（ｃ）に示すように、原反（２）を製品形状（１２）に打ち抜く際に、打抜刃（２０）の外側斜面（２０１）と接触するガラス微小球体（１）を、製品形状（１２）の外側（カス部分（１５））『押進方向』に押し進める形状からなることを特徴とするものである。
【００２９】
これにより、図７（ｃ）に示すように、原反（２）を一時的に歪めながら、ガラス微小球体（１）を『打抜部分』よりも外側部分となるカス部分（１５）に押し上げたり、埋没させたりすることが可能となり、『打抜部分』に対するガラス微小球体（１）の脱落を防止することが可能となる。
【００３０】
このため、製品形状（１２）に打ち抜いた部分（１４）と、カス部分（１５）と、に確実に分離し、カス部分（１５）のみを除去することが可能となる。以下、添付図面を参照しながら、本実施形態における打抜刃及びその打抜刃を用いた打抜方法について説明する。
【００３１】
（第１の実施形態）
まず、図４を参照しながら、本実施形態における打抜刃（２０）の形状について説明する。なお、図４（ａ）は、打抜刃（２０）の全体形状を示し、図４（ｂ）は、図４（ａ）に示す打抜刃（２０）のＡ−Ａ'方向の断面図を示し、図４（ｃ）は、図４（ｂ）に示す打抜刃（２０）の一部分の形状を示す図である。
【００３２】
本実施形態における打抜刃（２０）は、図４（ａ）に示すように、円筒状の鋼鉄の曲面を打ち抜き形状（製品形状）に合わせて刃が形成されるように鉄鋼を削って成形したものであり、ガラス微小球体（１）を有する原反（２）を任意の製品形状に打ち抜く打抜刃（２０）である。
【００３３】
なお、打抜刃（２０）の刃先断面は、図４（ａ）に示すように、無端状の製品形状に打ち抜くための外側斜面（２０１）と、内側斜面（２０２）と、を有して構成される。
【００３４】
外側斜面（２０１）は、図４（ｂ）に示すように、『製品形状に打ち抜かれる原反部分』と接触せず、『製品形状に打ち抜かれる原反部分』以外の『カス部分』と接触する斜面である。
【００３５】
また、内側斜面（２０２）は、図４（ｂ）に示すように、『製品形状に打ち抜かれる原反部分』と接触する斜面である。
【００３６】
なお、外側斜面（２０１）と水平面とのなす傾斜角（θβ）は、内側斜面（２０２）と水平面とのなす傾斜角（θα）よりも緩やかな角度（θβ＜θα）となる形状にて構成される。
【００３７】
これにより、図４（ｃ）に示すように、原反（２）を『打抜方向』に打ち抜く際に、打抜刃（２０）の外側斜面（２０１）と接触することになるガラス微小球体（１）を、原反（２）を一時的に歪めながら、打抜刃（２０）の外側斜面（２０１）に沿って外側『押進方向』に押し進めることになる。
【００３８】
なお、打抜刃（２０）の外側斜面（２０１）と水平面とのなす傾斜角（θβ）は、５０°〜６０°の範囲の角度であることが好ましく、５３°〜５７°の範囲の角度であることがより好ましい。
【００３９】
次に、図５を参照しながら、打抜刃（２０）の外側斜面（２０１）と水平面とのなす傾斜角（θβ）と、ガラス微小球体（１）の押進量：Δｄと、の関係について説明する。なお、図４（ｂ）、図５では、外側斜面（２０１）と水平面とのなす傾斜角（θβ）と、内側斜面（２０２）と水平面とのなす傾斜角（θα）と、を説明するために便宜上、『打抜方向』に対して直角となる面を『水平面』として定義している。
【００４０】
図５には、打抜刃（２０）の外側斜面（２０１）と水平面とのなす傾斜角（θβ）が、６５°、６０°、５５°、５０°の場合の打抜刃（２０）の形状が示されている。
【００４１】
なお、ガラス微小球体（１）の押進量：Δｄは、傾斜角（θβ）が小さい程大きくなることから、図５に示す４つの打抜刃（２０）の形状では、傾斜角（θβ）が６５°の場合の押進量：Δｄ１が最も少なく、傾斜角（θβ）が５０°の場合の押進量：Δｄ４が最も多くなる。
【００４２】
このため、傾斜角（θβ）が小さいほうが、打抜刃（２０）の外側斜面（２０１）に沿ってガラス微小球体（１）を外側『押進方向』に推し進めることになる。
【００４３】
また、打抜刃（２０）の原反（２）に対する剪断力：ｇは、図４に示す４つの打抜刃（２０）の形状では、傾斜角（θβ）が６５°の場合の剪断力：ｇ１が最も強くなり、傾斜角（θβ）が５０°の場合の剪断力：ｇ４が最も弱くなる。
【００４４】
このため、実用的な範囲を実験により測定した結果、打抜刃（２０）の外側斜面（２０１）と水平面とのなす傾斜角（θβ）に対する、ガラス微小球体（１）の押進量：Δｄと、打抜刃（２０）の原反（２）に対する剪断力：ｇと、を考慮し、打抜刃（２０）の外側斜面（２０１）と水平面とのなす傾斜角（θβ）は、５０°〜６０°の範囲の角度であることが好ましく、５３°〜５７°の範囲の角度であることがより好ましいことが判明した。
【００４５】
次に、図６、図７を参照しながら、図４（ａ）に示す打抜刃（２０）を用いた打抜方法について説明する。なお、以下に説明する打抜方法は、図７に示すように、基材（４）を、剥離紙（４１）と、粘着層（４２）と、を少なくとも有して構成し、基材（４）を構成する剥離紙（４１）を打ち抜かないように、粘着層（４２）までの層構成（１、３、４２）を打ち抜く場合の打抜方法について説明する。
【００４６】
なお、図６は、本実施形態における打抜方法を行うための打抜装置の構成を示す図であり、図６（ａ）は、打抜装置の構成を示す斜視図であり、図６（ｂ）は、打抜装置の構成を示す断面図である。図７は、本実施形態における打抜方法における打抜工程を説明するための図である。
【００４７】
本実施形態における打抜装置は、図６に示すように、図４（ａ）に示す打抜刃（２０）を搭載したロータリー刃（３１）と、アンビルローラ（３２）と、分離ローラ（３３）と、を有して構成される。
【００４８】
ロータリー刃（３１）は、原反（２）を製品形状（１２）に打ち抜き、製品形状（１２）に打ち抜いた部分（１４）と、その製品形状（１２）に打ち抜いた部分（１４）以外のカス部分（１５）と、に分離するものである。
【００４９】
アンビルローラ（３２）は、原反（２）を搬送支持するものである。分離ローラ（３３）は、原反（２）からカス部分（１５）のみを除去するものである。
【００５０】
まず、図６を参照しながら、本実施形態における打抜方法について説明する。
【００５１】
本実施形態における打抜方法は、アンビルローラ（３２）とロータリー刃（３１）との間に原反（２）を挿入し、アンビルローラ（３２）とロータリー刃（３１）とにより原反（２）を挟持して回転させ、原反（２）を製品形状に打ち抜く（打抜工程：ステップＳ１）。
【００５２】
これにより、製品形状（１２）に打ち抜いた部分（１４）と、その製品形状（１２）に打ち抜いた部分（１４）以外のカス部分（１５）と、に分離することになる。
【００５３】
次に、分離ローラ（３３）によりカス部分（１５）のみを除去し（除去工程：ステップＳ２）、製品形状（１２）に打ち抜いた部分（１４）のみを残し、ガラス微小球体（１）を有する製品形状（１２）の再帰反射材を形成する。
【００５４】
次に、図７を参照しながら、図６における打抜工程について詳細に説明する。
【００５５】
本実施形態における打抜工程は、図７（ａ）に示すように、アンビルローラ（３２）と、ロータリー刃（３１）と、により原反（２）を挟持し、図７（ｂ）に示すように、ロータリー刃（３１）に設けられた一方の打抜刃（２０）により、原反（２）を打ち抜くことになる。
【００５６】
この時、打抜刃（２０）は、図７（ｂ）に示すように、原反（２）を一時的に歪めながら、打抜刃（２０）の外側斜面（２０１）と接触することになるガラス微小球体（１）を打抜刃（２０）の外側『押進方向』に押し進めることになる。
【００５７】
これにより、図７（ｃ）に示すように、ガラス微小球体（１）を『打抜部分』よりも外側部分となるカス部分（１５）に押し上げたり、埋没させたりすることが可能となり、『打抜部分』に対するガラス微小球体（１）の脱落を防止することが可能となる。
【００５８】
次に、図７（ｃ）に示すように、ロータリー刃（３１）に設けられたもう一方の打抜刃（２０）により再び原反（２）を打ち抜き、原反（２）を製品形状（１２）に打ち抜くことになる。
【００５９】
この時、打抜刃（２０）は、図７（ｃ）に示すように、原反（２）を一時的に歪めながら、打抜刃（２０）の外側斜面（２０１）と接触することになるガラス微小球体（１）を打抜刃（２０）の外側『押進方向』に押し進めることになる。
【００６０】
これにより、図７（ｄ）に示すように、ガラス微小球体（１）を『打抜部分』よりも外側部分となるカス部分（１５）に押し上げたり、埋没させたりすることが可能となり、『打抜部分』に対するガラス微小球体（１）の脱落を防止することが可能となる。
【００６１】
以上の工程により、製品形状（１２）に打ち抜いた部分（１４）と、カス部分（１５）と、に確実に分離することが可能となり、カス部分（１５）のみを除去することが可能となる。
【００６２】
このように、本実施形態における打抜方法は、アンビルローラ（３２）と、ロータリー刃（３１）と、で原反（２）を挟持し回転させ、ロータリー刃（３１）に設けられた打抜刃（２０）により、ガラス微小球体（１）を打抜刃（２０）の外側に押進させるように原反（２）を任意の製品形状（１２）に打ち抜くことで、ガラス微小球体（１）を『打抜部分』に押し込んでしまうのではなく、ガラス微小球体（１）を、『打抜部分』よりも外側部分となるカス部分（１５）に押し上げたり、埋没させたりし、『打抜部分』に対するガラス微小球体（１）の脱落を防止させることが可能となる。
【００６３】
このため、製品形状（１２）に打ち抜いた部分（１４）と、カス部分（１５）と、に確実に分離することが可能となり、カス部分（１５）のみを除去することが可能となる。
【００６４】
特に、図７に示すように、基材（４）を、剥離紙（４１）と、粘着層（４２）と、を少なくとも有して構成し、基材（４）を構成する剥離紙（４１）を打ち抜かないように、粘着層（４２）までの層構成（１、３、４２）を任意の製品形状に打ち抜く場合でも、上述した本実施形態の打抜刃（２０）を用いて、ガラス微小球体（１）を打抜刃（２０）の外側に押進させるように原反（２）を任意の製品形状（１２）に打ち抜くことで、ガラス微小球体（１）を、『打抜部分』よりも外側部分となるカス部分（１５）に押し上げたり、埋没させたりし、粘着層（４２）に対する脱落したガラス微小球体（１）の付着を低減することになるため、任意の製品形状（１２）に打ち抜いた部分（１４）と、カス部分（１５）と、に分離し、カス部分（１５）のみを確実に除去することが可能となる。
【００６５】
また、ロータリー刃（３１）に設けられた打抜刃（２０）により、ガラス微小球体（１）を打抜刃（２０）の外側に押進させるように原反（２）を任意の製品形状（１２）に打ち抜くことで、原反（２）に対する負荷を低減しつつ、製品形状（１２）に打ち抜いた部分（１４）と、カス部分（１５）と、に分離することが可能となる。
【００６６】
なお、本実施形態の打抜刃（２０）をトムソン刃に適用することも可能であるが、トムソン刃は、上下（打抜方向）に対する力が強く、ガラス微小球体（１）が逃げにくい構造となっている。これに対し、本実施形態の打抜刃（２０）をロータリー刃（３１）に適用すると、押進力を効果的に高め、ガラス微小球体（１）が逃げやすい構造となっている。また、ロータリー刃（３１）は、トムソン刃のように継ぎ目がないため、トムソン刃に比べて耐久性があり、打ち抜きに適した構造となっている。このため、本実施形態の打抜刃（２０）をロータリー刃（３１）に適用することが好ましい。
【００６７】
（第２の実施形態）
次に、第２の実施形態について説明する。
【００６８】
第２の実施形態における打抜刃（２０）の刃先は、図８に示すように、原反（２）を製品形状に打ち抜く際に生ずる摩擦を緩和させる摩擦緩和材（４０）で被覆されてなることを特徴とする。
【００６９】
これにより、打抜刃（２０）を用いて原反（２）を打ち抜く際の摩擦を緩和させ、打抜刃（２０）に接触するガラス微小球体（１）を打抜刃（２０）の外側に効率良く押進させることが可能となり、『打抜部分』に対するガラス微小球体（１）の脱落の防止を向上させ、安定した打抜工程を行うことが可能となる。以下、図８を参照しながら、第２の実施形態における打抜刃（２０）の形状について説明する。
【００７０】
第２の実施形態における打抜刃（２０）は、図８に示すように、原反（２）を製品形状に打ち抜く際に生ずる摩擦を緩和させる摩擦緩和材（４０）を打抜刃（２０）の刃先に設けたことを特徴とする。なお、摩擦緩和材（４０）としては、シリコン系樹脂、フッ素系樹脂などの摩擦係数を下げる樹脂が適用可能である。
【００７１】
このように、第２の実施形態における打抜刃（２０）は、打抜刃（２０）の表面に摩擦係数を緩和させる摩擦緩和材（４０）を設けることで、打抜工程時に打抜刃（２０）に接触するガラス微小球体（１）を打抜刃（２０）の外側に効率良く押進させることが可能となるため、『打抜部分』に対するガラス微小球体（１）の脱落の防止を向上させ、安定した打抜工程を行うことが可能となり、品質の高い再帰反射材を安価に製造することが可能となる。
【００７２】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００７３】
例えば、上述する実施形態では、本実施形態の打抜刃（２０）をロータリー刃（３１）に適用した場合について説明したが、本実施形態の打抜刃（２０）をトムソン刃に適用することも可能である。
【００７４】
また、上述する実施形態では、無端状の製品形状に打ち抜くように打抜刃（２０）を成形したが、製品形状の形状は、特に限定せず、あらゆる形状の製品形状に打ち抜くように打抜刃（２０）を成形することが可能である。
【産業上の利用可能性】
【００７５】
本発明にかかる打抜刃及び打抜方法は、ガラス微小球体を有する原反を製品形状に打ち抜く際に適用可能である。
【図面の簡単な説明】
【００７６】
【図１】トムソン刃（１０）の構成を示す図であり、（ａ）は、トムソン刃（１０）を基板（１１）上に設けた状態を示す斜視図であり、（ｂ）は、その断面図である。
【図２】図１に示すトムソン刃（１０）を用いて原反（２）を打ち抜く際の打抜工程を説明するための図である。
【図３】図２に示す打抜工程により原反（２）を打ち抜いた際の原反（２）の状態を示す図である。
【図４】本実施形態における打抜刃（２０）の形状を示す図であり、（ａ）は、打抜刃（２０）の全体形状を示し、（ｂ）は、（ａ）に示す打抜刃（２０）のＡ−Ａ'方向の断面図を示し、（ｃ）は、（ｂ）に示す打抜刃（２０）の一部分の形状を示す図である。
【図５】打抜刃（２０）の外側斜面（２０１）の原反（２）に対する傾斜角（θβ）と、ガラス微小球体（１）の流入量：Δｄと、の相関を示す図である。
【図６】本実施形態における打抜方法を行うための打抜装置の構成を示す図であり、（ａ）は、打抜装置の構成を示す斜視図であり、（ｂ）は、その断面図である。
【図７】本実施形態における打抜工程を説明するための図である。
【図８】第２の実施形態における打抜刃（２０）の構成を示す図である。
【符号の説明】
【００７７】
１    ガラス微小球体
２    原反
３    保持層
４    基材
１０    トムソン刃
１１    基板
１２    製品形状
１３    定盤
１４    製品形状（１２）に打ち抜いた部分
１５    カス部分
２０    打抜刃
２０１    打抜刃（２０）の外側斜面
２０２    打抜刃（２０）の内側斜面
３１    ロータリー刃
３２    アンビルローラ
３３    分離ローラ
４０    摩擦緩和材
４１    剥離紙
４２    粘着層
【図１】
2008155332.tif 000003
【図２】
2008155332.tif 000004
【図３】
2008155332.tif 000005
【図４】
2008155332.tif 000006
【図５】
2008155332.tif 000007
【図６】
2008155332.tif 000008
【図７】
2008155332.tif 000009
【図８】
2008155332.tif 000010